(57)【要約】【課題】使用者の睡眠を妨げない空気調和機を提供する。【解決手段】熱交換器２５と、室内送風ファン２６と、送風ファンモータ２６ａと、熱交換器２５および室内送風ファン２６の上流に設けられるエアフィルタ２３と、エアフィルタ２３を清掃するエアフィルタ清掃装置３０と、送風ファンモータ２６ａおよびエアフィルタ清掃装置３０を制御する制御装置１０を備える空気調和機１において、制御装置１０は、送風ファンモータ２６ａの運転時間を合算して記憶する運転時間記憶部１３と、就寝状態または非就寝状態を判定する就寝判定部１６と、エアフィルタ２３の清掃を判定する自動清掃判定部１５と、を備え、自動清掃判定部１５は、運転時間記憶部１３に記憶された運転時間が所定時間を超え、かつ、就寝判定部１６が非就寝状態と判定した場合には、エアフィルタ清掃装置３０を制御して、エアフィルタ２３を清掃させる。【選択図】図４
2011237088.tif 000002
【特許請求の範囲】
【請求項１】
熱交換器と、
室内送風ファンと、
前記室内送風ファンを駆動する送風ファンモータと、
前記熱交換器および前記室内送風ファンの上流に設けられるエアフィルタと、
前記エアフィルタを清掃するエアフィルタ清掃装置と、
前記送風ファンモータおよび前記エアフィルタ清掃装置を制御する制御装置を備える空気調和機において、
前記制御装置は、
前記送風ファンモータの運転時間を合算して記憶する運転時間記憶部と、
就寝状態または非就寝状態を判定する就寝判定部と、
前記エアフィルタの清掃を判定する自動清掃判定部と、を備え、
前記自動清掃判定部は、
前記運転時間記憶部に記憶された運転時間が所定時間を超え、かつ、前記就寝判定部が非就寝状態と判定した場合には、前記エアフィルタ清掃装置を制御して、前記エアフィルタを清掃させる
ことを特徴とする空気調和機。
【請求項２】
前記制御装置は、時刻を出力する時刻出力部をさらに備え、
前記就寝判定部は、前記時刻が所定の時間領域内である場合には非就寝状態と判定する
ことを特徴とする請求項１に記載の空気調和機。
【請求項３】
前記空気調和機により空気調和される室内の照度を検知する照度センサをさらに備え、
前記就寝判定部は、前記照度が所定値以上である場合には非就寝状態と判定する
ことを特徴とする請求項１または請求項２に記載の空気調和機。
【請求項４】
前記照度センサは、紫外線を検出する
ことを特徴とする請求項３に記載の空気調和機。
【請求項５】
前記照度センサは、照明の光量を検出する
ことを特徴とする請求項３または請求項４に記載の空気調和機。
【発明の詳細な説明】
【技術分野】
【０００１】
本発明は、空気調和機に関するもので、特に室内機が備えるエアフィルタを所定条件で自動的に清掃する空気調和機に関する。
【背景技術】
【０００２】
空気調和機は、室内空気を熱交換器に循環させて、加熱、冷却、除湿機能などにより調整し、調整された空調空気を室内に吹き出すことにより室内を空気調和する。空気調和機の室内機は塵埃を除去するエアフィルタを備え、熱交換器に塵埃が付着し熱交換性能が低下することを低減し、また、空気調和され室内機から吹き出される空気の塵埃も低減させる。このため、空気調和機を長時間運転させることにより、エアフィルタには室内空気中の塵埃が蓄積されていく。
そして、エアフィルタを自動的に清掃する機能を備えた空気調和機が知られている。
特許文献１には、空気調和機の運転時間が所定の運転時間を経過し、空気調和機の運転停止後に、自動清掃モードによるエアフィルタの清掃処理を行う空気調和機が開示されている。
【先行技術文献】
【特許文献】
【０００３】
【特許文献１】特開２００４−１０１１０１号公報
【発明の概要】
【発明が解決しようとする課題】
【０００４】
しかしながら、特許文献１に開示された従来の空気調和機においては、使用者が就寝前にリモートコントローラ（以下、リモコンと称す）にて空気調和機の停止操作を行った場合、または、使用者が設定した切タイマにより使用者の就寝中に空気調和機が停止した場合においても、所定の運転時間を経過していれば、自動清掃モードによるエアフィルタの清掃処理が実行され、エアフィルタ清掃装置の動作音により、使用者の睡眠を妨げるおそれがあった。
【０００５】
そこで、本発明は、使用者の睡眠を妨げない空気調和機を提供することを課題とする。
【課題を解決するための手段】
【０００６】
このような課題を解決するために、請求項１に係る空気調和機は、熱交換器と、室内送風ファンと、前記室内送風ファンを駆動する送風ファンモータと、前記熱交換器および前記室内送風ファンの上流に設けられるエアフィルタと、前記エアフィルタを清掃するエアフィルタ清掃装置と、前記送風ファンモータおよび前記エアフィルタ清掃装置を制御する制御装置を備える空気調和機において、前記制御装置は、前記送風ファンモータの運転時間を合算して記憶する運転時間記憶部と、就寝状態または非就寝状態を判定する就寝判定部と、前記エアフィルタの清掃を判定する自動清掃判定部と、を備え、前記自動清掃判定部は、前記運転時間記憶部に記憶された運転時間が所定時間を超え、かつ、前記就寝判定部が非就寝状態と判定した場合には、前記エアフィルタ清掃装置を制御して、前記エアフィルタを清掃させることを特徴とする。
【発明の効果】
【０００７】
本発明によれば、使用者の睡眠を妨げない空気調和機を提供することができる。
【図面の簡単な説明】
【０００８】
【図１】本実施形態に係る空気調和機の全体構成図である。
【図２】本実施形態に係る空気調和機の室内機の右側面断面図である。
【図３】本実施形態に係る空気調和機の室内機の内部正面図である。
【図４】本実施形態に係る空気調和機の制御装置を説明する機能ブロック図である。
【図５】本実施形態に係る空気調和機の運転停止時における自動清掃判定処理を示すフローチャートである。
【図６】本実施形態に係る空気調和機の運転停止時における自動清掃判定処理の第１変形例を示すフローチャートである。
【図７】本実施形態に係る空気調和機の運転停止時における自動清掃判定処理の第２変形例を示すフローチャートである。
【図８】本実施形態に係る空気調和機の運転停止時における自動清掃判定処理の第３変形例を示すフローチャートである。
【図９】本実施形態に係る空気調和機の運転停止時における自動清掃判定処理の第４変形例を示すフローチャートである。
【発明を実施するための形態】
【０００９】
以下、本発明を実施するための形態（以下「実施形態」という）について、適宜図面を参照しながら詳細に説明する。なお、本説明において、同一の要素には同一の番号を付し、重複する説明は省略する。
【００１０】
≪空気調和機≫
まず、本実施形態に係る空気調和機１の全体構成について図１を用いて説明する。
図１は、本実施形態に係る空気調和機の全体構成図である。
室内を空気調和する空気調和機１は、室内に設置される室内機２と、室外に設置される室外機３と、空気調和機１を遠隔操作するリモコン４と、室内機２と室外機３とを繋ぐ接続配管５とを備えている。
【００１１】
＜室内機＞
まず、室内機２について、図１を参照しつつ、図２および図３を用いて説明する。
図２は、本実施形態に係る空気調和機の室内機の右側面断面図である。
【００１２】
前面パネル２０に設けられた可動パネル２１は、下端部に設けた回動軸を支点として駆動モータ（図示せず）により回動され、空気調和機１の運転時に前側空気吸込部２２を開くように構成されている。前側空気吸込部２２には、前側空気吸込部２２から吸い込まれた室内空気中に含まれる塵埃を取り除くためのエアフィルタ２３ａが設けられており、前側空気吸込部２２の吸込側を覆うように配置されている。
また、室内機２の上部には上側空気吸込部２４が設けられている。上側空気吸込部２４には、上側空気吸込部２４から吸い込まれた室内空気中に含まれる塵埃を取り除くためのエアフィルタ２３ｂが設けられており、上側空気吸込部２４の吸込側を覆うように配置されている。
【００１３】
室内機２の中央部には、室内熱交換器２５と、室内熱交換器２５の下流側に室内熱交換器２５の幅と略等しい長さの横流ファン方式の室内送風ファン２６を備えている。
送風ファンモータ２６ａ（図３参照）を駆動して室内送風ファン２６が回転すると、室内空気が前側空気吸込部２２および上側空気吸込部２４から室内熱交換器２５へ流れる。そして、室内熱交換器２５にて温度調整、湿度調整された空調空気は、室内送風ファン２６を通って室内送風ファン２６の長さに略等しい幅を持つ吹出し風路２７に流れる。その後、空調空気は、吹出し風路２７途中に配した左右風向板２８で左右方向を偏向され、加えて、空気吹出し口に配した上下風向板２９で上下方向を偏向されて室内に吹き出す。
【００１４】
図３は、本実施形態に係る空気調和機の室内機の内部正面図である。
室内機２は、前側空気吸込部２２（図２参照）のエアフィルタ２３ａおよび上側空気吸込部２４（図２参照）のエアフィルタ２３ｂ（図２参照）に蓄積した塵埃を除去するためのエアフィルタ清掃装置３０を備える。
エアフィルタ清掃装置３０は、刷毛３１ａ，３１ｂ（図２参照）を有する移動体３１と、除去ブラシ３６を有する集塵容器３５を備えている。
移動体３１は、キャリッジ３２により、ガイドレール３３およびガイドレール３４（図２参照）に沿って左右方向に移動可能である。
エアフィルタ２３ａ，２３ｂの上で移動体３１を移動させることにより、移動体３１の有する刷毛３１ａ，３１ｂがエアフィルタ２３ａ，２３ｂを摺接しながら掃くように移動し、エアフィルタ２３ａ，２３ｂに蓄積した塵埃を除去する。
移動体３１を左端に設けられた集塵容器３５の上まで移動させ、除去ブラシ３６により移動体３１の刷毛３１ａ，３１ｂに付着した塵埃を除去ブラシ３６により除去し、集塵容器３５に塵埃を回収する。
【００１５】
室内機２は送風ファンモータ２６ａやエアフィルタ清掃装置３０を制御する制御装置１０を備えている。
また、室内機２は、図１に示すように、リモコン信号受信部４１および室内機２が設置された室内の照度を検出する照度センサ部４２を備えている。
図４を用いて、空気調和機１の制御装置１０について更に説明する。
図４は、本実施形態に係る空気調和機の制御装置を説明する機能ブロック図である。
【００１６】
リモコン信号受信部４１は、リモコン４（図１参照）からの信号を受信し、受信した受信信号を制御装置１０に送信する。
照度センサ部４２は、紫外線を検出する紫外線検出部４３と、可視光線を検出する照明光量検出部４４とを備えている。
紫外線検出部４３は、太陽光中の紫外線を検出するフォトダイオード等で構成される。即ち、太陽光（紫外線）は、窓から室内機２の設置された室内に入射し、室内の壁等で反射され、室内機２の紫外線検出部４３で検出される。
照明光量検出部４４は、可視光線を検出するフォトダイオード等で構成され、室内の蛍光灯等の照明からの光（可視光線）を照明光量検出部４４で検出する。
なお、光学フィルタなどを用いて検出したい光（紫外線／可視光線）のみを抽出する方法は、既に一般的な技術であるため、説明を省略し、またその方法については限定しない。
照度センサ部４２（紫外線検出部４３、照明光量検出部４４）で検出した検出信号は、制御装置１０に送信される。
【００１７】
なお、本実施形態では照度センサ部４２（紫外線検出部４３、照明光量検出部４４）は、室内機２に設けられているものとして説明するが、取付位置はこれに限られるものではない。例えば、照度センサ部４２（紫外線検出部４３、照明光量検出部４４）はリモコン４に設けられていてもよく、照明光量検出部４４は室内機２に設けられ紫外線検出部４３は室外機３に設けられていてもよい。
【００１８】
制御装置１０は、リモコン信号受信部４１で受信した受信信号および照度センサ部４２（紫外線検出部４３、照明光量検出部４４）で検出した検出信号が入力され、送風ファンモータ２６ａ、エアフィルタ清掃装置３０を制御する機能を有する。
制御装置１０は、運転制御部１１、切タイマ部１２、運転時間記憶部１３、現在時刻部１４、自動清掃判定部１５、就寝判定部１６を備えている。
運転制御部１１は、リモコン信号受信部４１で受信した受信信号に基づいて、送風ファンモータ２６ａ、エアフィルタ清掃装置３０を制御する機能を有する。
リモコン信号受信部４１で受信した受信信号が切タイマ設定信号である場合には、切タイマ部１２は、切タイマ時刻を設定し、自動停止時刻であるか否かを判定する機能を有する。
運転時間記憶部１３は、空気調和機１の運転時間の合計を算出して記憶する機能を有する。なお、運転時間記憶部１３で記憶される運転時間は、エアフィルタ２３ａ，２３ｂに蓄積される塵埃の量を推定するものであり、送風ファンモータ２６ａの駆動時間の合計とするのが好適である。また、運転時間記憶部１３に記憶される運転時間は、エアフィルタ清掃装置３０によりエアフィルタ２３ａ，２３ｂの清掃が実行されると、リセットされる。
現在時刻部１４は、現在の時刻を出力する機能を有する。なお、使用者がリモコン４を操作して現在時刻を入力すると、リモコン４から入力された現在時刻を示す時刻設定信号が送信される。リモコン信号受信部４１で受信した現在時刻を示す信号に基づいて、現在時刻部１４の時計合わせがされる。
【００１９】
自動清掃判定部１５は、エアフィルタ清掃装置３０によりエアフィルタ２３ａ，２３ｂの清掃を実行するか否かを判定する機能を有する。就寝判定部１６は、使用者が就寝状態であるかを判定する機能を有する。自動清掃判定部１５および就寝判定部１６の詳細については後述する。
【００２０】
図１に戻り、室外機３、リモコン４および接続配管５について説明する。
＜室外機、接続配管＞
室外機３は、圧縮機（図示せず）、室外送風機（図示せず）、室外熱交換器（図示せず）等を備える。室外機３の圧縮機、室外熱交換器は、接続配管５の２本の冷媒配管（図示せず）により、室内機２の室内熱交換器２５（図２参照）と接続され、冷媒を循環させることにより熱ポンプとして機能する。
【００２１】
＜リモコン＞
リモコン４は、使用者に操作されることにより空気調和機１の各種の運転指示を示す信号を送信する機能を有する。例えば、空気調和機１の運転停止を指示する「運転停止信号」、空気調和機１の自動停止時間を設定する「切タイマ設定信号」、現在の時刻を設定する「時刻設定信号」等を送信する機能を有する。
【００２２】
≪自動清掃判定処理≫
制御装置１０の自動清掃判定部１５（図４参照）が行う自動清掃判定について、図５を用いて説明する。
図５は、本実施形態に係る空気調和機の運転停止時における自動清掃判定処理を示すフローチャートである。
自動清掃判定部１５は、空気調和機１が運転中であるか否かを判定する（ステップＳ１０１）。自動清掃モードによるエアフィルタ２３ａ，２３ｂの清掃は空気調和機１の運転を停止した時に行う機能であるため、空気調和機１が運転停止中である場合には（ステップＳ１０１でＮｏ）、フロー処理を終了する。
空気調和機１が運転中である場合には（ステップＳ１０１でＹｅｓ）、ステップＳ１０２に進む。
【００２３】
自動清掃判定部１５は、空気調和機１の運転停止信号を受信したか否かを判定する（ステップＳ１０２）。
運転停止信号を受信した場合には（ステップＳ１０２でＹｅｓ）、ステップＳ１０４に進む。
一方、運転停止信号を受信していない場合には（ステップＳ１０２でＮｏ）、ステップＳ１０３に進み、切タイマ部１２（図４参照）が自動停止時刻であると判定しているか否かを判定する（ステップＳ１０３）。
切タイマ部１２に切タイマは設定されているが自動停止時刻でない場合、または、切タイマが設定されていない場合には（ステップＳ１０３でＮｏ）、ステップＳ１０２に戻り、空気調和機１の運転を継続する。
一方、切タイマ部１２が自動停止時刻であると判定している場合には（ステップＳ１０３でＹｅｓ）、ステップＳ１０４に進む。
【００２４】
自動清掃判定部１５は、運転時間記憶部１３（図４参照）に記憶された運転時間が、所定の運転時間を経過したか否かを判定する。（ステップＳ１０４）。なお、所定の運転時間は、エアフィルタ２３ａ，２３ｂに塵埃が蓄積し、自動清掃が必要と判断する時間をいい、あらかじめ設定された値である。
所定の運転時間を経過していない場合には（ステップＳ１０４でＮｏ）、自動清掃判定部１５は自動清掃の実行を不許可とする判定を行い、エアフィルタ２３ａ，２３ｂの自動清掃を行わず、ステップＳ１０９に進み、運転制御部１１（図４参照）は、空気調和機１の運転を停止させ、フロー処理を終了する。
【００２５】
ステップＳ１０４で自動清掃判定部１５が所定の運転時間を経過している判定した場合には（ステップＳ１０４でＹｅｓ）、ステップＳ１０５に進む。
就寝判定部１６（図４参照）は、現在時刻部１４（図４参照）の現在時刻が所定の時間内であるか否かを判定する（ステップＳ１０５）。
ここで、所定の時間内とは、使用者が就寝している可能性がある時間として設定され、例えば、「ＡＭ７：００以前またはＰＭ１８：００以降」のように設定される。
現在時刻が所定の時間内ではないと判定した場合には（ステップＳ１０５でＮｏ）、就寝判定部１６は、使用者は「非就寝中」（非就寝状態）と判定して、ステップＳ１０８に進む。
一方、現在時刻が所定の時間内であると判定した場合には（ステップＳ１０５でＹｅｓ）、ステップＳ１０６に進む。
【００２６】
就寝判定部１６は、照度センサ部４２（図１参照）の紫外線検出部４３で検出した紫外線の検出量が、所定量未満であるか否かを判定する（ステップＳ１０６）。
紫外線の検出量が所定量以上である場合には（ステップＳ１０６でＮｏ）、昼であるとして、就寝判定部１６は、使用者は「非就寝中」（非就寝状態）と判定して、ステップＳ１０８に進む。
一方、紫外線の検出量が、所定量未満である場合には（ステップＳ１０６でＹｅｓ）、ステップＳ１０７に進む。
【００２７】
就寝判定部１６は、照度センサ部４２（図１参照）の照明光量検出部４４で検出した照明の光量が、所定量未満であるか否かを判定する（ステップＳ１０７）。
照明の光量が所定量以上である場合には（ステップＳ１０７でＮｏ）、室内の照明が点灯中であるとして、就寝判定部１６は、使用者は「非就寝中」（非就寝状態）と判定して、ステップＳ１０８に進む。
【００２８】
一方、照明の光量が、所定量未満である場合（ステップＳ１０７でＹｅｓ）、即ち、ステップＳ１０５からステップＳ１０７において、就寝判定部１６が使用者は「就寝中」（就寝状態）であると判定した場合（ステップＳ１０７でＹｅｓ）、自動清掃判定部１５は自動清掃の実行を不許可とする判定を行い、エアフィルタ２３ａ，２３ｂの自動清掃を行わず、ステップＳ１０９に進む。
【００２９】
ステップＳ１０５からステップＳ１０７のいずれかにおいて、就寝判定部１６が使用者は「非就寝中」（非就寝状態）と判定した場合には（ステップＳ１０５でＮｏ，ステップＳ１０６でＮｏ，ステップＳ１０７でＮｏ）、自動清掃判定部１５は自動清掃の実行を許可すると判定し、運転制御部１１はエアフィルタ清掃装置３０を制御してエアフィルタ２３ａ，２３ｂの自動清掃を実行する。自動清掃の終了後、ステップＳ１０９に進む。また、運転時間記憶部１３に記憶されている運転時間がリセットされる。
【００３０】
ステップＳ１０９では、運転制御部１１は、空気調和機１の運転を停止させ、フロー処理を終了する。
【００３１】
このように、本実施形態に係る空気調和機１は、就寝判定部１６が使用者は「就寝中」であると判定した場合には、自動清掃判定部１５はフィルタ２３の自動清掃を禁止することができるので、使用者の睡眠を妨げない空気調和機を提供することができる。また、就寝判定部１６が使用者は「非就寝中」であると判定した場合には、自動清掃判定部１５は使用者の操作による運転停止の場合でも、切タイマによる運転停止の場合でも、フィルタ２３の自動清掃を実行させることができるので、自動清掃が実行されない状態が継続することを減少させることができる。
また、空気調和機１（リモコン４）の時刻設定が正しく行われていない場合であっても、他の２つの判定手段により使用者が就寝中であるか否かを判定することができるので、空気調和機１の運転時間が所定の運転時間を経過しても、自動清掃が実行されない状態が継続することを減少させることができる。
また、天候が悪く紫外線が少ない場合であっても、照明の光量を用いて使用者が就寝中であるか否かの判定を行うことができるので、空気調和機１の運転時間が所定の運転時間を経過しても、自動清掃が実行されない状態が継続することを減少させることができる。
【００３２】
≪変形例≫
以上、本実施形態に係る空気調和機１は、リモコン４で設定された現在時刻と、照度センサ部４２の紫外線検出部４３で検出された紫外線量と、照度センサ部４２の照明光量検出部４４で検出された照明の光量とを組み合せて使用者が「就寝中」であるか否かの判定を行い、エアフィルタ２３ａ，２３ｂの自動清掃の可否を判定する空気調和機１としたが、いずれか一つのみの判定または二つの判定の組み合わせによる判定としてもよい。
図６から図９を用いて本実施形態に係る空気調和機１の自動清掃判定処理の変形例について説明する。
なお、図６から図９において、ステップＳ１０１からステップＳ１０４まで、ステップＳ１０８、ステップＳ１０９は、本実施形態に係る空気調和機１の自動清掃判定処理と同様であり、説明を省略する。
【００３３】
＜自動清掃判定処理：第１変形例＞
第１変形例に係る空気調和機１は、リモコン４で設定された現在時刻を用いて、使用者が「就寝中」であるか否かの判定を行う。
図６は、本実施形態に係る空気調和機の運転停止時における自動清掃判定処理の第１の変形例を示すフローチャートである。
【００３４】
ステップＳ１０４で自動清掃判定部１５が所定の運転時間を経過している判定した場合には（ステップＳ１０４でＹｅｓ）、ステップＳ２０５に進む。
就寝判定部１６（図４参照）は、現在時刻部１４（図４参照）の現在時刻が所定の時間内であるか否かを判定する（ステップＳ２０５）。
ここで、所定の時間内とは、使用者が就寝している可能性がある時間として設定され、例えば、「ＡＭ７：００以前またはＰＭ２２：００以降」のように設定される。
現在時刻が所定の時間内ではないと判定した場合には（ステップＳ２０５でＮｏ）、就寝判定部１６は、使用者は「非就寝中」と判定して、ステップＳ１０８に進む。
一方、現在時刻が所定の時間内であると判定した場合には（ステップＳ２０５でＹｅｓ）、就寝判定部１６は、使用者は「就寝中」であると判定して、自動清掃判定部１５は自動清掃の実行を不許可とする判定を行い、エアフィルタ２３ａ，２３ｂの自動清掃を行わず、ステップＳ１０９に進む。
【００３５】
このように、第１変形例に係る空気調和機１は、就寝判定部１６が使用者は「就寝中」であると判定した場合には、自動清掃判定部１５はフィルタ２３の自動清掃を禁止することができるので、使用者の睡眠を妨げない空気調和機を提供することができる。また、就寝判定部１６が使用者は「非就寝中」であると判定した場合には、自動清掃判定部１５は使用者の操作による運転停止の場合でも、切タイマによる運転停止の場合でも、フィルタ２３の自動清掃を実行させることができるので、自動清掃が実行されない状態が継続することを減少させることができる。
また、第１変形例に係る空気調和機１は、本実施形態に係る空気調和機１（図５参照）と異なり、照度センサ部４２（紫外線検出部４３、照明光量検出部４４）を備える必要がなく、部品点数を削減することができる。
なお、第１変形例に係る空気調和機の「所定時間」は、「非就寝中」と判定する時間領域が本実施形態に係る空気調和機に対して大きく設定される。これにより、自動清掃が実行されない状態が継続することを減少させることができる。
【００３６】
＜自動清掃判定処理：第２変形例＞
第２変形例に係る空気調和機１は、照度センサ部４２（図４参照）の紫外線検出部４３（図４参照）で検出された紫外線量を用いて、使用者が「就寝中」であるか否かの判定を行う。
図７は、本実施形態に係る空気調和機の運転停止時における自動清掃判定処理の第２の変形例を示すフローチャートである。
【００３７】
ステップＳ１０４で自動清掃判定部１５が所定の運転時間を経過している判定した場合には（ステップＳ１０４でＹｅｓ）、ステップＳ３０６に進む。
就寝判定部１６は、照度センサ部４２の紫外線検出部４３で検出した紫外線の検出量が、所定量未満であるか否かを判定する（ステップＳ３０６）。
紫外線の検出量が所定量以上である場合には（ステップＳ３０６でＮｏ）、昼であるとして、就寝判定部１６は、使用者は「非就寝中」と判定して、ステップＳ１０８に進む。
一方、紫外線の検出量が、所定量未満である場合には（ステップＳ３０６でＹｅｓ）、就寝判定部１６は、使用者は「就寝中」であると判定して、自動清掃判定部１５は自動清掃の実行を不許可とする判定を行い、エアフィルタ２３ａ，２３ｂの自動清掃を行わず、ステップＳ１０９に進む。
【００３８】
このように、第２変形例に係る空気調和機１は、就寝判定部１６が使用者は「就寝中」であると判定した場合には、自動清掃判定部１５はフィルタ２３の自動清掃を禁止することができるので、使用者の睡眠を妨げない空気調和機を提供することができる。また、就寝判定部１６が使用者は「非就寝中」であると判定した場合には、自動清掃判定部１５は使用者の操作による運転停止の場合でも、切タイマによる運転停止の場合でも、フィルタ２３の自動清掃を実行させることができるので、自動清掃が実行されない状態が継続することを減少させることができる。
また、第２変形例に係る空気調和機１は、本実施形態に係る空気調和機１（図５参照）と異なり、時刻設定機能（制御装置１０の現在時刻部１４）や照度センサ部４２の照明光量検出部４４を備える必要がなく、部品点数を削減することができる。
【００３９】
＜自動清掃判定処理：第３変形例＞
第３変形例に係る空気調和機１は、リモコン４で設定された現在時刻と照度センサ部４２の照明光量検出部４４で検出された照明の光量とを組み合せて、使用者が「就寝中」であるか否かの判定を行う。
図８は、本実施形態に係る空気調和機の運転停止時における自動清掃判定処理の第３の変形例を示すフローチャートである。
【００４０】
ステップＳ１０４で自動清掃判定部１５が所定の運転時間を経過している判定した場合には（ステップＳ１０４でＹｅｓ）、ステップＳ４０５に進む。
就寝判定部１６（図４参照）は、現在時刻部１４（図４参照）の現在時刻が所定の時間内であるか否かを判定する（ステップＳ４０５）。
ここで、所定の時間内とは、使用者が就寝している可能性がある時間として設定され、例えば、「ＡＭ７：００以前またはＰＭ１８：００以降」のように設定される。
現在時刻が所定の時間内ではないと判定した場合には（ステップＳ４０５でＮｏ）、就寝判定部１６は、使用者は「非就寝中」と判定して、ステップＳ１０８に進む。
一方、現在時刻が所定の時間内であると判定した場合には（ステップＳ４０５でＹｅｓ）、ステップＳ４０７に進む。
【００４１】
就寝判定部１６は、照度センサ部４２の照明光量検出部４４で検出した照明の光量が、所定量未満であるか否かを判定する（ステップＳ４０７）。
照明の光量が所定量以上である場合には（ステップＳ４０７でＮｏ）、室内の照明が点灯中であるとして、就寝判定部１６は、使用者は「非就寝中」と判定して、ステップＳ１０８に進む。
【００４２】
一方、照明の光量が、所定量未満である場合（ステップＳ４０７でＹｅｓ）、即ち、ステップＳ４０５およびステップＳ４０７において、就寝判定部１６が使用者は「就寝中」であると判定した場合（ステップＳ４０７でＹｅｓ）、自動清掃判定部１５は自動清掃の実行を不許可とする判定を行い、エアフィルタ２３ａ，２３ｂの自動清掃を行わず、ステップＳ１０９に進む。
【００４３】
このように、第３変形例に係る空気調和機１は、就寝判定部１６が使用者は「就寝中」であると判定した場合には、自動清掃判定部１５はフィルタ２３の自動清掃を禁止することができるので、使用者の睡眠を妨げない空気調和機を提供することができる。また、就寝判定部１６が使用者は「非就寝中」であると判定した場合には、自動清掃判定部１５は使用者の操作による運転停止の場合でも、切タイマによる運転停止の場合でも、フィルタ２３の自動清掃を実行させることができるので、自動清掃が実行されない状態が継続することを減少させることができる。
また、第３変形例に係る空気調和機１は、本実施形態に係る空気調和機１（図５参照）と異なり、照度センサ部４２の紫外線検出部４３を備える必要がなく、部品点数を削減することができる。
また、空気調和機１（リモコン４）の時刻設定が正しく行われていない場合であっても、照明の光量により使用者が就寝中であるか否かを判定することができるので、空気調和機１の運転時間が所定の運転時間を経過しても、自動清掃が実行されない状態が継続することを減少させることができる。
【００４４】
＜自動清掃判定処理：第４変形例＞
第４変形例に係る空気調和機は、照度センサ部４２の紫外線検出部４３で検出された紫外線量と照度センサ部４２の照明光量検出部４４で検出された照明の光量とを組み合せて、使用者が「就寝中」であるか否かの判定を行う。
図９は、本実施形態に係る空気調和機の運転停止時における自動清掃判定処理の第４の変形例を示すフローチャートである。
【００４５】
ステップＳ１０４で自動清掃判定部１５が所定の運転時間を経過している判定した場合には（ステップＳ１０４でＹｅｓ）、ステップＳ５０６に進む。
就寝判定部１６は、照度センサ部４２の紫外線検出部４３で検出した紫外線の検出量が、所定量未満であるか否かを判定する（ステップＳ５０６）。
紫外線の検出量が所定量以上である場合には（ステップＳ５０６でＮｏ）、昼であるとして、就寝判定部１６は、使用者は「非就寝中」と判定して、ステップＳ１０８に進む。
一方、紫外線の検出量が、所定量未満である場合には（ステップＳ５０６でＹｅｓ）、ステップＳ５０７に進む。
【００４６】
就寝判定部１６は、照度センサ部４２の照明光量検出部４４で検出した照明の光量が、所定量未満であるか否かを判定する（ステップＳ５０７）。
照明の光量が所定量以上である場合には（ステップＳ５０７でＮｏ）、室内の照明が点灯中であるとして、就寝判定部１６は、使用者は「非就寝中」と判定して、ステップＳ１０８に進む。
【００４７】
一方、照明の光量が、所定量未満である場合（ステップＳ５０７でＹｅｓ）、即ち、ステップＳ５０６およびステップＳ５０７において、就寝判定部１６が使用者は「就寝中」であると判定した場合、自動清掃判定部１５は自動清掃の実行を不許可とする判定を行い、エアフィルタ２３ａ，２３ｂの自動清掃を行わず、ステップＳ１０９に進む。
【００４８】
このように、第４変形例に係る空気調和機１は、就寝判定部１６が使用者は「就寝中」であると判定した場合には、自動清掃判定部１５はフィルタ２３の自動清掃を禁止することができるので、使用者の睡眠を妨げない空気調和機を提供することができる。また、就寝判定部１６が使用者は「非就寝中」であると判定した場合には、自動清掃判定部１５は使用者の操作による運転停止の場合でも、切タイマによる運転停止の場合でも、フィルタ２３の自動清掃を実行させることができるので、自動清掃が実行されない状態が継続することを減少させることができる。
また、第４変形例に係る空気調和機１は、本実施形態に係る空気調和機１（図５参照）と異なり、時刻設定機能（制御装置１０の現在時刻部１４）を備える必要がなく、部品点数を削減することができる。
また、天候が悪く紫外線が少ない場合であっても、照明の光量を用いて使用者が就寝中であるか否かの判定を行うことができるので、空気調和機１の運転時間が所定の運転時間を経過しても、自動清掃が実行されない状態が継続することを減少させることができる。
【符号の説明】
【００４９】
１      空気調和機
２      室内機
３      室外機
４      リモコン
１０    制御装置
１１    運転制御部
１２    切タイマ部
１３    運転時間記憶部
１４    現在時刻部（時刻出力部）
１５    自動清掃判定部
１６    就寝判定部
２０    前面パネル
２１    可動パネル
２２    前側空気吸込部
２３ａ，２３ｂ  エアフィルタ
２４    上側空気吸込部
２５    室内熱交換器
２６    室内送風ファン
２６ａ  送風ファンモータ
２７    吹出し風路
２８    左右風向板
２９    上下風向板
３０    エアフィルタ清掃装置
４１    リモコン信号受信部
４２    照度センサ部
４３    紫外線検出部
４４    照明光量検出部
【図１】
2011237088.tif 000003
【図２】
2011237088.tif 000004
【図３】
2011237088.tif 000005
【図４】
2011237088.tif 000006
【図５】
2011237088.tif 000007
【図６】
2011237088.tif 000008
【図７】
2011237088.tif 000009
【図８】
2011237088.tif 000010
【図９】
2011237088.tif 000011